(57)【要約】【課題】多様な粘度を有する液状物質を収容しているボトルで使用される注ぎ口を提供する。【解決手段】種々の粘度を有する液状物質を収容しているボトルに用いられる注ぎ口である。その注ぎ口は流出用開口部から成っていて、その開口部は液状物質のための少なくとも第一及び第二の流出用穴により形成され、その第一の穴の流出部の面積は第二の穴の流出領域の面積より大きいか又は等しい。その注ぎ口を使用することにより、使用者の選択に基づいて、収容されている液体の流量を変えられる。各穴にはそれぞれふたがあり、そのふたは穴に比例したカバーになっている。代わりに、各穴が空気流入路を形成している。【選択図】  図１
2006143328.tif 000002
【特許請求の範囲】
【請求項１】
種々の粘度を有する液状物質を収容するボトルに用いられる注ぎ口で、前記注ぎ口が、液状物質を流出させるための少なくとも第一及び第二の穴により形成された流出用開口部から成り、その第一の穴の流出部の面積が第二の穴の流出部の面積より大きいか又は等しいことを特徴とする注ぎ口。
【請求項２】
前記第一及び第二の穴が収容されている液体の流出をそれぞれ遮断するふたを含むことを特徴とする請求項１の注ぎ口。
【請求項３】
前記ふたの寸法が第一及び第二の穴の寸法に比例していることを特徴とする請求項１及び２の注ぎ口。
【請求項４】
前記第一及び第二の穴が対称的に配置されていることを特徴とする前記請求項のいずれかの注ぎ口。
【請求項５】
注ぎ口を形成している周縁頚部が流出用開口部から突出していることを特徴とする請求項１の注ぎ口。
【請求項６】
前記周縁頚部が、第一及び第二の流出用穴のそれぞれに面しているように配置された少なくとも一対の溝を含んでいることを特徴とする請求項５の注ぎ口。
【請求項７】
それぞれのふたが引張り部分を含むことを特徴とする請求項２の注ぎ口。
【請求項８】
前記部分が周縁頚部の端部に取付可能な締結手段を提供することを特徴とする請求項７の注ぎ口。
【請求項９】
前記第一及び第二の流出用穴が二者択一的に一種の空気流入路を形成していることを特徴とする前記請求項のいずれかの注ぎ口。
【請求項１０】
前記ふたがお互いに向かい合い、ヒンジにより結合していることを特徴とする請求項２の注ぎ口。
【発明の詳細な説明】
【技術分野】
【０００１】
本発明は油又は食酢のような種々の粘度を有する液状物質を収容しているボトル(bottle)に用いられる注ぎ口に関する。好ましくは本発明は油を注ぐためのボトルのような容器に用いられる注ぎ口に関する。
【背景技術】
【０００２】
非常に多様で美味な料理を調製するために種々の食品に添加物を用いることは知られている。これらの添加物の内で、最も有名で広く用いらているのは、商用的に入手できる変形の全てを含めて、植物油である。広く知られているように、油は粘度が高く、洗浄が非常に困難な物質に変化し、そのような物質が付着した面に粒子が付着しうる。例えば、油がブリキ容器に詰められている場合、前記容器の上部には通常塵埃粒子とごみが付着していることは非常に普通に見られる。使用の前後に、粒子とごみを除去しなければならず、かつ、上面を清浄にしなければならない、なぜならば、その製品を使用後に油滴が残ると、前記粒子が表面に付着しやすくなるからである。容器の上面を清掃するこの作業は実際に面倒であり、かつ、その作業は物質を完全に除去するため十分注意して実施すべきであることを明確にしなければならない。
【０００３】
代わりに、プラスチック・ボトルが油容器として広く用いられる。これらの容器には注ぎ口があり、その注ぎ口は一般にキャップ(cap)を有していて、容器を開いた後で、閉じることができる。他方、そのような注ぎ口は特別な設計によって、注ぎ口の端部に残っていた油滴の滴下を防止している。しかしながら、この種の容器の主な問題は、食品にその内容物を用いるためにボトルを傾斜したときに、注ぎ口を通過する液体の量を調節できる方法を提供していないことである。それゆえ、そのような料理を調製する料理人又は人物が流量を注意深く調節しなければならない。多くの場合に、料理に加えられる油量は必要な又は要求された量より常に多くなることが生じる。
【発明の開示】
【発明が解決しようとする課題】
【０００４】
それゆえ、本発明は、使用すべき液体を必要量供給できるように、多様な粘度を有する液状物質を収容しているボトルで使用される注ぎ口を提供することを目指している。
【０００５】
さらに、本発明は、少なくとも２種類の流量を二者択一的に用いるため、１個の注ぎ口を使用する可能性を与えている、多様な粘度を有する液状物質を収容しているボトルで使用される注ぎ口を提供することを目指している。
【課題を解決するための手段】
【０００６】
それゆえ、本発明は、多様な粘度を有する液状物質を収容するボトルで用いられる注ぎ口を提供し、その注ぎ口が、液状物質のための少なくとも第一及び第二の流出用穴により形成された流出用開口部から成っていて、その第一の穴の流出部の面積が第二の穴の流出部の面積より大きいか等しい。
【０００７】
本発明の他の目的、特徴及び利点は以下の詳細説明及び添付図面を検討することにより明らかになる。
【発明を実施するための最良の形態】
【０００８】
図面を参照すると、本発明の注ぎ口１が示されていて、少なくとも第一の穴３と第二の穴４により形成された流出用開口部２から成っている。これらの穴３及び４はこの注ぎ口
１が付けられている容器（図示せず）内に保持される液状物質を流出させるように形成されている。この特別な実施例では、前記の穴は、その注ぎ口が提供する特徴を活用するように、お互いに対称的に向かい合うように配置される。しかしながら、穴３及び４のこの配置に本発明の範囲を限定すると考えるべきでない。図１から４までにより示されたものは例示用にのみ示されているので、前記の穴３及び４の幾何学的形状を限定していると見なすべきでない。
【０００９】
図１及び２で見ることができるように、この特別な実施例では、第一の穴３の流出部の面積５は第二の穴４の流出部の面積６より大きい。流出部の面積５が流出部の面積６より大きいと示したけれども、そうでない場合もあることを指摘することは重要である。なぜなら、前記流出部の面積５及び６の間に差が無いことも、又は、流出部の面積６が流出部の面積５より大きい場合も可能だからで、これらの代替案は本発明の範囲と精神の内に含まれる。
【００１０】
代わりに、流出用開口部２から、周縁頚部が突き出ていて、滴下防止領域を形成する２本の溝１０を含む一種の注ぎ口を形成している。観察されるように、前記の溝１０のそれぞれが対応する穴に密接に関係していて、容器内に保持された液体を使用しやすくし、かつ、内容物が既に使われてからの流出用開口部２内に残った液体の滴下を防止している。
【００１１】
図３を参照すると、流出用開口部がふた７及び８により閉じられていることを観察できる。これらのふた７及び８は穴３及び４を通る液体の流出を抑える。これらのふたはヒンジ(hinge)１１により結合していて、ヒンジ１１はそれらを開位置から閉位置に揺動できる。他方、各ふた７及び８には引張り部分１２があり、前記ふた７及び８の開閉を容易にする。さらに、前記部分１２は各ふたから垂直に突出している。前記部分１２の端部はL形フランジ(flange)１３から成っている。Ｌ形フランジ１３の一部は、ふたの少なくとも一方が開いたとき、このフランジ１３が溝１０の縁により保持されてふたが偶発的に再閉鎖するのを防止できる。対応するふたのロック(lock)解除をするために引張り部分１２から小さな力が加えられたときにのみ、閉鎖を生じる。当該分野の技術者ならわかるように、ふたのロックが有効なのは、その一方が開いていて、他方が完全に閉じているときにのみである。
【００１２】
図４を参照すると、前記の穴３及び４の間で、面積の違いを観察できる。主として、この差があるのは、以後に説明するように、必要に応じて使用される液体の流量を少なくとも２種類とするためである。しかしながら、流出部の面積間の前記の差は、収容されている液体を使用するために穴のいずれかを用いる時点で、残りの穴を空気流入路として使用できて、選択した穴を通過する液体の流量を一定にし、好ましくない流れのごぼごぼと音をたてる現象がないようにできる。
【００１３】
最後になるが、前記の全ての図面を参照することにより、本発明の対象である注ぎ口１の代替的使用をまとめる。従って、注ぎ口１が液体を収容している容器上に、その一部としてで、単なるアクセサリー(accessory)でなく配置されている。即ち、前記の注ぎ口は当該分野で通常見られている注ぎ口の置き換えになる。図３に示すように、注ぎ口１は本来の状態であるふた７及び８が閉じた状態になっている。収容されている液体の使用を希望するとき、（種々の粘度の任意の液体としうるが、好ましくは種々のオイル(oil)に使用され、）必要な流量と使用すべき流速を選択する。即ち、収容されている液体が料理用オイルで、何らかの種類の料理を行なうために、ポット(pot)又は片手鍋に入れるために一定量を必要としている場合、大流量を得るために穴３を選択して、ポットを高速充填する。以前に述べたように、収容された液体が使用時点で、ごぼごぼと音をたて始めると、利用者は第二の小さなふたを開いて、空気が容器内に穴４を通って入り、液体が継続的かつ一定に流れるようにする。
【００１４】
他方、小流量の液を用いたい場合、穴４に対応するふた１２を開く必要があるだけである。それにより、穴３を用いることにより得られる流量と比較して、少ない流量が得られる。前項の場合のように、液体の流れがごぼごぼと音をたて、又は、ゆっくりとした中断を始めた場合、容器に空気を入れるために穴３に対応するふた１２を開くだけでよい。さらに、ふた７又は８の寸法がそれぞれ穴４及び３の寸法に比例しているので、希望の流量を選択するために、それぞれのふた７又は８を開く必要がないことに留意することは重要である。
【図面の簡単な説明】
【００１５】
【図１】本発明の注ぎ口の上からの透視図である。
【図２】図１のキャップの上面図である。
【図３】図１の注ぎ口の上から透視図である。
【図４】図１のキャップの下からの透視図である。
【符号の説明】
【００１６】
１    注ぎ口
２    流出用開口部
３    第一の穴
４    第二の穴
５    流出部の面積
６    流出部の面積
７    ふた
８    ふた
９    周縁頚部
１０    溝
１１    ヒンジ
１２    引張り部分
１３    Ｌ形フランジ
【図１】
2006143328.tif 000003
【図２】
2006143328.tif 000004
【図３】
2006143328.tif 000005
【図４】
2006143328.tif 000006